(57)【要約】  立体映像を視聴するために眼鏡に装着する立体映像視聴装置は、右目用及び左目用の一対の光シャッターと、前記一対の光シャッターの駆動回路と、前記一対の光シャッターの駆動用電源装置と、前記一対の光シャッターを支持する支持部と、前記支持部と一体的に形成され、当該立体映像視聴装置を前記眼鏡に着脱自在に繋止する第１繋止部と、を備えている。前記電源装置及び前記駆動回路は、一対の光シャッターに固定されていない状態で、可撓性を有する接続部材により前記支持部と接続されている。
2012020538.tif 000002
【特許請求の範囲】
【請求項１】
立体映像を視聴するために眼鏡に装着する立体映像視聴装置であって、
右目用及び左目用の一対の光シャッターと、
前記一対の光シャッターの駆動回路と、
前記一対の光シャッターの駆動用電源装置と、
前記一対の光シャッターを支持する支持部と、
前記支持部と一体的に形成され、当該立体映像視聴装置を前記眼鏡に着脱自在に繋止する第１繋止部と、を備え、
前記電源装置及び前記駆動回路が、前記一対の光シャッターに固定されていない状態で、可撓性を有する接続部材により前記支持部と接続されている、立体映像視聴装置。
【請求項２】
前記電源装置が二次電池を含み、前記二次電池が円筒状または角筒状の形状を有し、その径または幅が２〜６ｍｍである、請求項１記載の立体映像視聴装置。
【請求項３】
前記電源装置及び前記駆動回路を、一体に、前記眼鏡の一方のテンプルまたはモダン部に繋止する第２繋止部を備える、請求項１または２記載の立体映像視聴装置。
【請求項４】
前記電源装置を、前記眼鏡の一方のテンプルまたはモダン部に繋止する第２繋止部と、
前記駆動回路を、前記眼鏡の他方のテンプルまたはモダン部に繋止する第３繋止部と、を備える、請求項１または２に記載の立体映像視聴装置。
【請求項５】
前記電源装置を収納する第１収納部と、前記駆動装置を収納する第２収納部と、前記第１収納部と前記第２収納部とを連結する連結手段とを備えるとともに、
前記接続部材が、前記一対の光シャッターの一方の外側端部で前記支持部と前記第１収納部とを繋ぐ、配線を含む第１コード、及び前記一対の光シャッターの他方の外側端部で前記支持部と前記第２収納部とを繋ぐ、配線を含む第２コードを有する、請求項１〜４のいずれか１項に記載の立体映像視聴装置。
【請求項６】
前記連結手段が、前記第１収納部と前記第２収納部とを連結する、可撓性を有する線状部材を含む、請求項５記載の立体映像視聴装置。
【請求項７】
前記連結手段が、前記第１収納部に設けられた雄ねじまたは雌ねじと、前記第２収納部に設けられた雌ねじまたは雄ねじと、を含む、請求項５記載の立体映像視聴装置。
【発明の詳細な説明】
【技術分野】
【０００１】
本発明は、立体映像視聴装置に関し、より具体的には、立体映像を視聴するために眼鏡に装着する立体映像視聴装置に関する。
【背景技術】
【０００２】
３Ｄ眼鏡、あるいは３Ｄグラスと一般に呼ばれる立体映像視聴装置（以下、単に視聴装置という）には、アクティブ方式に対応したものと、パッシブ方式に対応したものとがある。【０００３】
アクティブ方式は、テレビ等の表示装置で、右目用の映像と左目用の映像とを交互に切り替えて表示するとともに、視聴装置側で、表示装置の映像の切り替えと同期して、左右のレンズ部に配置した液晶シャッター等を交互に開閉する方式である（特許文献１参照）。【０００４】
アクティブ方式は、表示装置には従来とほぼ同じ構造の表示装置を使用し、表示装置に表示させる映像データを立体映像用の映像データにするだけで、立体映像を視聴することができる。【０００５】
これに対して、パッシブ方式では、右目用の映像と左目用の映像を１ライン毎に表示装置に同時に表示し、その映像を、表示装置において、偏光フィルタで右目用と左目用とに振り分ける。そして、振り分けられた各映像を、専用眼鏡で右目と左目とにそれぞれ送り届ける。このため、パッシブ方式では、表示装置の正面近くで映像を視聴しないと、３Ｄ映像が正常に視聴できないとともに、右目用の映像と左目用の映像とを同時に１つの画面に表示しているので、解像度は低下する。よって、家庭のテレビで視聴する場合には、アクティブ方式の立体映像視聴システムの方が、ユーザにとっては好ましいといえる。【０００６】
しかしながら、アクティブ方式では、視聴装置が、液晶光シャッターや、その駆動用の電源を備える必要があり、視聴装置の重量及び嵩が、通常の眼鏡に比べて大きくなる。このため、視聴装置の装着感に不満を抱くユーザも多い。
【先行技術文献】
【特許文献】
【０００７】
【特許文献１】特開昭６２−２３１５７８号公報
【発明の概要】
【発明が解決しようとする課題】
【０００８】
したがって、アクティブ方式の立体映像視聴システムは、視聴装置を軽量化して、装着感を向上させることが望まれている。現状では、駆動用の電源に、小型軽量のコイン形電池（一次電池）を使用するのが主流である。そして、視聴装置をさらに軽量化するために、コイン形電池よりも薄型化の容易な、ラミネート電池を電源として使用することも検討されている。【０００９】
ところが、電池の軽量化は容量の低下に繋がる。視聴装置の十分な時間の連続的使用を可能とするためには、最小限度の電池容量を確保する必要がある。また、液晶光シャッターが、プラスチック製等の通常のレンズよりも重量が大きいこともあって、視聴装置全体の重量が通常の眼鏡よりも大きくなるのを避けることはできない。【００１０】
以上のことに関連して、コイン形電池やラミネート電池は、横の広がりの大きい形状であるために、これらの電池を視聴装置の電源に使用すると、ある程度の広い面積の収納部を視聴装置に設ける必要性が生じる。これにより、視聴装置のデザインは制約される。【００１１】
さらには、近視矯正用または遠視矯正用の通常の眼鏡の使用者は、３Ｄ映像を視聴するために、眼鏡状の視聴装置を、通常の眼鏡の上からさらに装着する必要がある。このため、視聴装置の装着感はさらに悪化する。【００１２】
そこで、本発明は、通常の眼鏡の使用者であっても、アクティブ・シャッター方式の立体映像視聴装置を良好な装着感で使用できるようにすることを目的としている。
【課題を解決するための手段】
【００１３】
本発明の一局面は、立体映像を視聴するために眼鏡に装着する立体映像視聴装置であって、
右目用及び左目用の一対の光シャッターと、
前記一対の光シャッターの駆動回路と、
前記一対の光シャッターの駆動用電源装置と、
前記一対の光シャッターを支持する支持部と、
前記支持部と一体的に形成され、当該立体映像視聴装置を前記眼鏡に着脱自在に繋止する第１繋止部と、を備え、
前記電源装置及び前記駆動回路が、前記一対の光シャッターに固定されていない状態で、可撓性を有する接続部材により前記支持部と接続されている、立体映像視聴装置に関する。
例えば、本発明の一局面は、立体映像を視聴するように眼鏡に装着する立体映像視聴装置であって、
右目用及び左目用の一対の光シャッターと、
前記一対の光シャッターの駆動回路と、
前記一対の光シャッターの駆動用電源装置と、
前記一対の光シャッターをそれぞれの内側端部で支持するブリッジと、
前記ブリッジに一体的に形成され、当該立体映像視聴装置を前記眼鏡に着脱自在に繋止する第１繋止部と、を備え、
前記電源装置及び前記駆動回路が、前記一対の光シャッターに固定されていない状態で、前記一対の光シャッターとコードにより接続されている、立体映像視聴装置に関する。【００１４】
本発明の他の局面は、前記電源装置が二次電池を含み、前記二次電池が円筒状または角筒状の形状を有し、その径または幅が２〜６ｍｍである、立体映像視聴装置に関する。ここで、角筒状とは、横断面が長円形である場合や、横断面が、一対の平行な直線部を有するとともに、横断面の両側部が円弧状である場合を含む。また、ここでいう角筒状の二次電池の幅は、横断面の長径をいう。
【発明の効果】
【００１５】
本発明の立体映像視聴装置によれば、当該立体映像視聴装置を通常の眼鏡に繋止する繋止部を設けたことで、従来の３Ｄ眼鏡あるいは３Ｄグラスからテンプル、モダン部及びノーズパッド等を取り除くことが可能となり、重量を低減することができる。これにより、通常の眼鏡の使用者であっても、眼鏡の重ね掛けのような状態を避けることができ、良好な装着感で３Ｄ映像を視聴することが可能となる。さらに、駆動回路及び電源装置を、可撓性を有する接続部材により光シャッターの支持部と接続し、光シャッターに対して固定されない状態で設けることで、重量を分散することが可能となり、さらに装着感が向上する。【００１６】
本発明の新規な特徴を添付の請求の範囲に記述するが、本発明は、構成及び内容の両方に関し、本発明の他の目的及び特徴と併せ、図面を照合した以下の詳細な説明によりさらによく理解されるであろう。
【図面の簡単な説明】
【００１７】
【図１】本発明の一実施形態に係る立体映像視聴装置の外観を示す斜視図である。
【図２】図１の視聴装置の機能ブロック図である。
【図３】二次電池の外観を示す斜視図である。
【図４】本発明の他の実施形態に係る立体映像視聴装置の外観を示す斜視図である。
【図５】本発明のさらに他の実施形態に係る立体映像視聴装置の外観を示す斜視図である。
【発明を実施するための形態】
【００１８】
本発明は、立体映像を視聴するように眼鏡に装着する立体映像視聴装置に関する。この視聴装置は、右目用及び左目用の一対の光シャッター、一対の光シャッターの駆動回路、一対の光シャッターの駆動用電源装置、一対の光シャッターを支持する支持部、並びに支持部と一体的に形成され、当該立体映像視聴装置を上記眼鏡に着脱自在に繋止する第１繋止部を備えている。そして、電源装置及び駆動回路は、一対の光シャッターに固定されていない状態で、可撓性を有する接続部材により前記支持部と接続されている。
【００１９】
支持部の例としては、一対の光シャッターをそれぞれ保持する一対のリムや、一対の光シャッターをそれぞれの内側端部で支持するブリッジが挙げられる。一対の光シャッターは、リムを介してブリッジに支持させても良い。可撓性を有する接続部材の例としては、後で述べるように、電源装置及び駆動回路を一対の光シャッターと電気的に接続するための配線を含むコードが挙げられる。
【００２０】
そのような配線とは別に、例えば、細長い鎖やゴムバンドで電源装置及び駆動回路を支持部と接続することもできる。しかしながら、配線を含むコードを使用して電源装置及び駆動回路を支持部と接続することで、独立の接続部材を設ける必要性がなくなり、装置が簡素化される。その結果、デザイン性の向上が容易となるとともに、部品点数を削減することができる。
【００２１】
眼鏡状の立体映像視聴装置においては、右目用及び左目用の光シャッターには、液晶光シャッターを使用するのが、シャッターの開閉の速度及び静音性の点で好ましい。しかしながら、液晶光シャッターは、通常の眼鏡のプラスチック製のレンズ（軽いもので、１枚が４〜７ｇ）よりも重量は大きい（例えば、１枚が６〜１５ｇ）。
【００２２】
眼鏡状の立体映像視聴装置は、そのように重量の大きい光シャッターや、その駆動用の電源装置を備える必要があるために、重量は、通常の眼鏡よりもかなり大きくなる。よって、装着感は悪化する。そして、視聴装置の使用者が通常の眼鏡を掛けている場合には、その眼鏡の上から、眼鏡状の視聴装置を重ねて装着することが必要となるために、装着感はさらに悪化する。
【００２３】
そこで、本発明は、視聴装置を通常の眼鏡に取り付けるための第１繋止部を視聴装置に備えさせることで、眼鏡状の視聴装置では通常必要とされる、テンプル、モダン部、及びノーズパッド等を不要としている。その結果、視聴装置の重量を小さくすることができる。また、テンプルやノーズパッドがついた眼鏡状の視聴装置を通常の眼鏡と重ね掛けする必要がなくなる。よって、通常の眼鏡の使用者が視聴装置を装着するときの装着感が顕著に向上する。
【００２４】
さらに、駆動回路及び電源装置を、一対の光シャッターに固定されていない状態で、一対の光シャッターを支持する支持部と接続することで、駆動回路及び電源装置の配置の自由度が大きくなる。その結果、例えば接続部材を長い紐状とすれば、駆動回路及び電源装置を手で持ったり、メガネのテンプルに引っ掛けたりすることも可能となる。これにより、駆動回路及び電源装置の重量が、視聴装置が装着されている眼鏡の特に前部に負荷されるのを避けることができる。その結果、視聴装置の装着感がさらに向上する。
【００２５】
つまり、第１繋止部により視聴装置を通常の眼鏡のレンズに繋止すると、眼鏡の前部に重量が集中する。このとき、電源装置や駆動回路の重量をも眼鏡の前部に掛けてしまうと、装着感が悪化する。それを避けるために、電源装置及び駆動回路を、光シャッターないしはその支持部と荷重的に分離するように、コード等の可撓性を有する接続部材で光シャッターと接続する。その結果、眼鏡の前部に掛かる重量を軽減することができる。これにより、視聴装置の装着感を向上させることが可能となる。
【００２６】
ここで、電源装置は、二次電池から構成し、二次電池の形状を円筒状または角筒状とし、その径または幅を２〜６ｍｍとすることが好ましい。径が６ｍｍ以下の二次電池を使用することにより、視聴装置に嵩の大きい収納部を設ける必要性が無くなる。その結果、デザインを犠牲にすることなく、二次電池の配置を自由に設定することが可能となる。一方、二次電池の径を２ｍｍ以上とすることにより、径がそれよりも小さい二次電池を製造する場合と比較すると、製造が格段に容易となる。よって、製造コストの上昇を抑えることができる。また、十分な電池容量を確保することも容易となる。
【００２７】
さらに、電源装置に、従来のアクティブ方式の３Ｄ眼鏡では主流であった一次電池に代えて二次電池を使用することで、電池を交換する必要性が小さくなる。このため、ユーザによる取り外しを予定しない態様で二次電池を収納することもできる。これにより、例えば留め金の付いた蓋等を収納部に設ける必要性がなくなり、収納部が簡素化される。さらに、二次電池であれば、電源装置に一次電池を使用する場合よりも電池を軽量化し、電池容量を小さくしても、充電をするだけで使用を継続できる。よって、一次電池を使用する場合よりも軽量化が容易となり、装着感を向上させることができる。
【００２８】
本発明の一形態に係る立体映像視聴装置においては、電源装置及び駆動回路を、一体に、眼鏡の一方のテンプルまたはモダン部に繋止する第２繋止部が備えられる。第２繋止部により電源装置及び駆動回路を、眼鏡の一方のテンプルの例えば後端部寄りの位置、またはモダン部に繋止する。これにより、視聴装置を眼鏡に装着したことにより眼鏡の前部に重量が集中し、重心が前に偏った状態となっているのを、是正することができる。よって、装着感が向上する。
【００２９】
本発明の他の形態に係る立体映像視聴装置においては、電源装置を、眼鏡の一方のテンプルまたはモダン部に繋止する第２繋止部と、駆動回路を、眼鏡の他方のテンプルまたはモダン部に繋止する第３繋止部とが備えられる。第２繋止部により電源装置を眼鏡の一方のテンプルまたはモダン部に繋止する一方で、第３繋止部により駆動回路を眼鏡の他方のテンプルまたはモダン部に繋止することで、視聴装置を眼鏡に装着したことにより眼鏡の前部に重量が集中し、重心が前に偏った状態となっているのを、是正することができるとともに、左右の重量バランスを適正化することも可能である。よって、装着感がさらに向上する。
【００３０】
本発明のさらに他の形態に係る立体映像視聴装置においては、電源装置を収納する第１収納部と、駆動装置を収納する第２収納部と、第１収納部と第２収納部とを連結する連結手段とが備えられている。ここで、接続部材は、一対の光シャッターの一方の外側端部で支持部と第１収納部とを繋ぐ、配線を含む第１コード、及び、一対の光シャッターの他方の外側端部で支持部と第２収納部とを繋ぐ、配線を含む第２コード、を有している。
【００３１】
例えば首の後ろに回した適宜長さの紐状部材（これは連結手段の一例である）で第１収納部と第２収納部とを連結することで、例えば視聴装置を装着した眼鏡がズレ落ちた場合にも、床等への落下を防止することができる。また、視聴装置が眼鏡から外れた場合にも、その落下を防止することができる。よって、落下の衝撃により視聴装置が故障するのを防止することができる。このように、連結手段の一例としては、紐、細長い鎖及びゴムバンド等の可撓性を有する線状部材を使用することが考えられる。
【００３２】
連結手段の他の一例としては、第１収納部に設けられた雄ねじまたは雌ねじと、第２収納部に設けられた雌ねじまたは雄ねじと、が考えられる。このような連結手段により、第１収納部と第２収納部とを直接的に連結することでも、視聴装置の落下を防止することができる。
【００３３】
以下、本発明の実施形態を、図面を参照して説明する。
（実施形態１）
図１に、本発明の実施形態１に係る立体映像視聴装置を斜視図により示す。図２に、立体映像視聴装置の機能ブロック図を示す。
立体映像視聴装置（以下、視聴装置という）１０は、アクティブ・シャッター方式の立体映像視聴システムに対応した、通常の眼鏡に装着するための視聴装置である。
【００３４】
アクティブ・シャッター方式の立体映像視聴システムは、３Ｄテレビ等の表示装置で、右目用の映像と左目用の映像とを交互に高速で切り替えて表示するとともに、視聴装置１０で、表示装置の映像の切り替えと同期して、光シャッターを交互に開閉することにより、立体映像を視聴するシステムである。
【００３５】
視聴装置１０は、右目用及び左目用の光シャッター１２の図示しない電極に駆動回路１４が接続され、駆動回路１４に、光シャッター１２の駆動用の電源装置１６が接続されている。電源装置１６は、二次電池２８と、二次電池２８の充電及び放電を制御する充放電回路３０と、電源スイッチ５２とを含む。駆動回路１４には、電源スイッチ５２を介して充放電回路３０が接続されている。充放電回路３０は二次電池２８と接続されるとともに、商用電源等と接続された充電器等の外部電源３２と接続可能に構成されている。
【００３６】
各光シャッター１２は、一対のリム１８によりそれぞれ保持されている。一対のリム１８は、内側の端部で、ブリッジ２０により支持されている。ブリッジ２０には、視聴装置１０を、装着対象の眼鏡に留めるための一対のクリップ２２が一体的に形成されている。
【００３７】
各クリップ２２は、ブリッジ２０に対して固定された固定部材２４と、図示しない付勢手段（例えばつるまきバネ、板バネ）により固定部材２４に向けて付勢された可動部材２６とを含んでいる。付勢手段の付勢力により各クリップ２２の固定部材２４と可動部材２６とで装着対象眼鏡のレンズをそれぞれ挟みつけることで、視聴装置１０が通常の眼鏡に繋止される。
【００３８】
図示しない表示装置（３Ｄテレビ等）からは、光シャッター１２の開閉のタイミングを示す同期信号が送信されており、ブリッジ２０には、その同期信号を受信するための、図示しない受信部が設けられている。受信部で受信された同期信号は、駆動回路１４に送られる。
【００３９】
光シャッター１２には、液晶光シャッターを使用するのが、動作速度、及び静音性の観点から好ましい。液晶光シャッターは、電圧を印加すると透明になり、印加電圧が除去されると不透明となるように動作する。
【００４０】
一対のリム１８の外側端部の上部には、それぞれ、図示しない接続部が形成されている。一対の接続部のうち、例えば右側の接続部には、コード３４（右側のコード）を介して、駆動回路１４が接続されている。駆動回路１４は収納部３６に収納されている。一対の接続部のうち、例えば左側の接続部には、コード３４（左側のコード）を介して、電源装置１６が接続されている。電源装置１６は収納部３８に収納されている。右側及び左側のコードは、駆動回路１４及び電源装置１６を光シャッター１２と接続するための配線をそれぞれ含んでいる。そして、上記の各接続部は、互いに連絡されている。
【００４１】
収納部３６及び３８には、それぞれ、収納部３６及び３８を、装着対象の眼鏡の図示しないテンプル（好ましくはテンプルの後端部寄り）またはモダン部に繋止するためのクリップ４０及び４２が設けられている。収納部３６及び３８を、クリップ４０及び４２により、テンプルの後端部寄り、またはモダン部に繋止することで、視聴装置１０が装着されることにより、装着対象の眼鏡の重心が前寄りとなっているのを是正することができる。これにより、装着感が向上する。
【００４２】
電源スイッチ５２は、電源装置１６を収納している収納部３８に設けることができる。これにより、ユーザは、視聴装置１０を眼鏡から取り外すことなく、容易に電源スイッチ５２を操作することができる。よって、視聴装置１０の電源をこまめにオン・オフすることが可能となり、比較的容量の小さい二次電池２８が、電源スイッチの切り忘れ等により完全放電状態となる回数を低減することができる。二次電池２８は、完全放電状態となる回数が多くなるほど極端に寿命が短くなる。よって、電源スイッチ５２を、電源装置１６を収納している収納部３８に設けることで、二次電池２８を顕著に長寿命化することができる。
【００４３】
電源装置１６に接続されたコード３４は、リム１８や収納部３８等に設けられた接続部に対して着脱可能に設けてもよい。つまり、電源装置１６に接続されたコード３４の一方または両方の端部に図示しないコネクタを設け、そのコネクタによりリム１８や収納部３８等に設けられた接続部と接続するように構成する。そして、そのコネクタや接続部を充電器等の外部電源３２に接続できるように構成すれば、視聴装置１０の他の部位に特に充電用の端子を設けることなく、二次電池２８を充電することが可能となる。
【００４４】
これにより、充電用の端子を設けるためのスペースを視聴装置１０に特に確保する必要がなく、視聴装置１０のデザイン性を容易に向上させることができる。また、充電をするときに、充電器等の外部電源３２に、視聴装置１０の全体を装着させる必要が無いので、充電器等の外部電源３２そのものの顕著な小型化が可能となる。その結果、ユーザが、充電器等の外部電源３２を自室等に配置するときの自由度が大きくなり、視聴装置１０の使用の利便性が顕著に向上する。また、充電をする動作が手軽となるので、その点でも視聴装置１０の使用の利便性が向上する。なお、充電用の端子は、例えば収納部３８に別途設けることも可能である。
【００４５】
電源装置１６及び駆動回路１４を、２本のコード３４で別々に光シャッター１２と接続することは必須ではなく、電源装置１６及び駆動回路１４の両方をまとめて１本のコード３４により光シャッター１２と接続することもできる。そして、テンプルやモダン部に繋止する代わりに、電源装置１６及び駆動回路１４を手で持ったり、机等の上に置いたりできるように、コード３４を長めにすることも可能である。
【００４６】
図３に、二次電池の外観を斜視図により示す。二次電池２８は、外径または幅Ｄが２〜６ｍｍ、長さＬが１５〜３５ｍｍの細長い形状であるのが好ましい。また、二次電池２８には、非水電解質二次電池、特にリチウムイオン二次電池を使用するのが、エネルギ密度が高い点で好ましい。二次電池２８の容量は、例えば、１０〜１００ｍＡｈとすることができる。なお、二次電池２８には、図示のような円筒形状のものに限られず、角筒形状等の様々な形状の二次電池を使用することができる。円筒状ないしは角筒状の電池は、一般に金属缶のケースを具備する。また、角筒状という用語は、電池分野でいう角形電池に対応する形状であり、筒部が、少なくとも一対の平行な平面状部を有していればよい。扁平薄型で側部が丸みを帯びている形状も角筒状に含まれる。また、角筒状の二次電池の幅は、大小の幅がある場合には大きい方の幅をいう。
【００４７】
ここで、二次電池２８の外径または幅Ｄを２ｍｍ以上とすることで、外径Ｄがこれよりも小さい場合と比べて、二次電池２８の作製が非常に容易となり、製造コストが低減される。また、二次電池２８の十分な容量を確保することも可能となる。一方、二次電池２８の外径Ｄを６ｍｍ以下とするのは、外径Ｄがこれよりも大きい場合と比べて、それが目立たないように配置することが容易となり、デザイン性を損ないにくいからである。
【００４８】
このように、二次電池２８を、上述したサイズ及び形状とすることで、二次電池２８の配置の自由度が増し、デザインを犠牲にすることなく、電源装置１６をテンプルの後端部寄り、またはモダン部に配置することが可能となる。よって、視聴装置１０の装着感を容易に向上させることができる。
【００４９】
次に、本発明の実施形態２を説明する。
（実施形態２）
図４に、本発明の実施形態２に係る立体映像視聴装置を正面図で示す。
【００５０】
視聴装置１０Ａが図１の視聴装置１０と異なるのは、左右の収納部３６及び３８を繋ぐための紐状部材４４（連結手段の一例である）を備えている点である。収納部３６及び３８を、クリップ４０及び４２により、テンプルの後端部寄り、またはモダン部に繋止した状態で、収納部３６と収納部３８とを繋いだ紐状部材４４をユーザの首の後ろに回すことで、視聴装置１０Ａが装着された装着対象眼鏡がズレ落ちるのを防止することができる。これにより、視聴装置１０Ａが床等に落下するのを防止することができ、視聴装置１０Ａの故障を防止することができる。
【００５１】
紐状部材４４と、収納部３６及び３８との接続は、収納部３６及び３８に輪状の部材を設ける一方、紐状部材４４の両端部に鉤を設けて、引っかけるようにすればよい。または、収納部３６及び３８に雌ねじを設け、紐状部材４４の両端部に、それと螺合する雄ねじを設けて、雄ねじを雌ねじにねじ込むことにより接続してもよい。
【００５２】
次に、本発明の実施形態３を説明する。
（実施形態３）
図５に、本発明の実施形態３に係る立体映像視聴装置を正面図で示す。
【００５３】
視聴装置１０Ｂが図１の視聴装置１０と異なるのは、左右の収納部３６及び３８に、お互いを締結する締結部５０（連結手段の他の一例である）を設けた点である。クリップ４０及び４２は取り除くことができる。
【００５４】
締結部５０は、一方の収納部３６に雄ねじ４６を設け、他方の収納部３８に、雄ねじ４６と螺合する雌ねじ４８を設けて構成されている。収納部３６及び３８を、締結部５０により例えばユーザの首の後ろで互いに締結することで、視聴装置１０Ａが装着された装着対象眼鏡がズレ落ちるのを防止することができる。これにより、視聴装置１０Ａが床等に落下するのを防止することができ、視聴装置１０Ａの故障を防止することができる。
【産業上の利用可能性】
【００５５】
本発明の立体映像視聴装置は、通常の眼鏡の使用者が３Ｄ映像を視聴するのをより快適にするので、映画館での長時間の３Ｄ映像の視聴や、３Ｄテレビによる、小さな子供を含めた家庭での３Ｄ映像の視聴に有用である。【００５６】
本発明を現時点での好ましい実施態様に関して説明したが、そのような開示を限定的に解釈してはならない。種々の変形及び改変は、上記開示を読むことによって本発明に属する技術分野における当業者には間違いなく明らかになるであろう。したがって、添付の請求の範囲は、本発明の真の精神及び範囲から逸脱することなく、すべての変形及び改変を包含する、と解釈されるべきものである。
【符号の説明】
【００５７】
１０、１０Ａ、１０Ｂ  立体映像視聴装置、
１２  光シャッター、
１４  駆動回路、
１６  電源装置、
２８  二次電池、
２２、４０、４２  クリップ、
３０  充放電回路、
３４  コード、
３６、３８  収納部、
３８  突起、
４４  紐状部材、
４６  雄ねじ、
４８  雌ねじ、
５０  締結部、
５２  電源スイッチ
【図１】
2012020538.tif 000003
【図２】
2012020538.tif 000004
【図３】
2012020538.tif 000005
【図４】
2012020538.tif 000006
【図５】
2012020538.tif 000007
【国際調査報告】
2012020538.tif 000008
2012020538.tif 000009
2012020538.tif 000010